(57)【要約】【課題】  鍵孔に挿入した合鍵を回動させなくても操作できる施解錠機構の構成を簡単にする。【解決手段】  案内ブロック１を介して扉の外面に装着され、鍵孔を案内ブロックの外面に露呈させた状態で内筒内端のテールピース１１を錠箱１２のデッドボルト操作機構に連係させたシリンダ錠５と、合鍵の鍵溝を形成した本体部にショルダー部を介して一体に連設され、本体部が鍵孔に挿入されたとき内筒の回動軸と同軸になるピニオン１６と、案内ブロック１の外面に沿って上下方向に摺動可能に案内され、合鍵の本体部と遊嵌できる縦長の開口２７を形成すると共に、この開口の一方の側端縁に、鍵孔に挿入された合鍵のピニオン１６と噛み合うラックを形成したスライダ１８と、スライダと案内ブロックとの摺動面を跨いで、上下方向に延在するばね収納洞を形成し、このばね収納洞にばね部材を弾装する。【選択図】  図２
2007056660.tif 000002
【特許請求の範囲】
【請求項１】
案内ブロックを介して扉の外面に装着され、鍵孔を案内ブロックの外面に露呈させた状態で内筒内端のテールピースを錠箱のデッドボルト操作機構に連係させたシリンダ錠と、合鍵の鍵溝を形成した本体部にショルダー部を介して一体に連設され、本体部が鍵孔に挿入されたとき内筒の回動軸と同軸になるピニオンと、案内ブロックの外面に沿って上下方向に摺動可能に案内され、合鍵の本体部と遊嵌できる縦長の開口を形成すると共に、この開口の一方の側端縁に、鍵孔に挿入された合鍵のピニオンと噛み合うラックを形成したスライダと、スライダと案内ブロックとの摺動面を跨いで、上下方向に延在するばね収納洞を形成し、このばね収納洞にばね部材を弾装したことを特徴とする施解錠機構。
【請求項２】
案内ブロックを介して扉の外面に装着され、鍵孔を案内ブロックの外面に露呈させた状態で内筒内端のテールピースを錠箱のデッドボルト操作機構に連係させたシリンダ錠と、合鍵の鍵溝を形成した本体部にショルダー部を介して一体に連設され、本体部が鍵孔に挿入されたとき内筒の回動軸と同軸になるピニオンと、案内ブロックの外面に沿って水平方向に摺動可能に案内され、合鍵の本体部と遊嵌できる横長の開口を形成すると共に、この開口の一方の側端縁に、鍵孔に挿入された合鍵のピニオンと噛み合うラックを形成したスライダとを設けたことを特徴とする施解錠機構。
【請求項３】
鍵溝を形成した本体部が鍵孔に挿入されたとき、シリンダ錠の内筒の回動軸と同軸になるピニオンを、ショルダー部を介して本体部に一体に連設したことを特徴とする鍵。
【発明の詳細な説明】
【技術分野】
【０００１】
この発明は、新規な施解錠機構（以下単に施解錠機構という）及びこの施解錠機構に用いられる鍵に係り、特に、手が不自由で、シリンダ錠の鍵孔に差し込んだ合鍵を回せない人でも施解錠が可能な施解錠機構及び鍵に関する。
【背景技術】
【０００２】
周知のように、扉や引戸、或いはロッカーの扉を開けるときには、装着されたシリンダ錠の内筒に合鍵を差し込んで、その合鍵と共にシリンダ錠の内筒を所定の方向に所定の角度回すことが必要である。
【０００３】
それは、従来からの施解錠機構は、例えば扉を扉枠に錠止し或いは係止するデッドボルトやラッチボルトを、回転する内筒の内端に装着したテールピースや所謂ダルマカムを介して錠箱から出し入れするように構成されているからである。
【０００４】
しかしながら、手が不自由で、合鍵をシリンダ錠の鍵孔に差し込むことはできても、これを回せない（腕を捩ることができない）人は大勢居り、このように手が不自由な人にとって、従来の施解錠機構を備えた錠前は使用できない、という不都合がある。
【０００５】
そこで、本出願人は、先に、後記特許文献１乃至３を以て、合鍵を回さなくてもデッドボルトを制御できる新規な施解錠機構を提案した。
【特許文献１】特願２００５−０４０８２９
【特許文献２】特願２００５−０４８６１６
【特許文献３】特願２００５−１７５６０９
【発明の開示】
【発明が解決しようとする課題】
【０００６】
上記特許文献１乃至３を以て提案された施解錠機構は、外側スライダに担持されたシリンダ錠の鍵孔に合鍵を挿し込み、合鍵を回さずにこれをその侭上げ下げするものである。
【０００７】
上記施解錠機構は、勿論所期の機能を発揮し、腕を捩ることができない人でも錠前の施解錠操作が簡単にできるようになったが、合鍵と共にシリンダ錠自体を移動させるため、機構が複雑にならざるを得ない、等未だ改良の余地がある。
【０００８】
そこで、この発明は、腕を捩ることができない人でも錠前の施解錠操作が可能であり、しかも構造が簡単な施解錠機構を提供することを目的としている。
【課題を解決するための手段】
【０００９】
上記の目的を達成するため、請求項１に記載の発明は、案内ブロックを介して扉の外面に装着され、鍵孔を案内ブロックの外面に露呈させた状態で内筒内端のテールピースを錠箱のデッドボルト操作機構に連係させたシリンダ錠と、合鍵の鍵溝を形成した本体部にショルダー部を介して一体に連設され、本体部が鍵孔に挿入されたとき内筒の回動軸と同軸になるピニオンと、案内ブロックの外面に沿って上下方向に摺動可能に案内され、合鍵の本体部と遊嵌できる縦長の開口を形成すると共に、この開口の一方の側端縁に、鍵孔に挿入された合鍵のピニオンと噛み合うラックを形成したスライダと、スライダと案内ブロックとの摺動面を跨いで、上下方向に延在するばね収納洞を形成し、このばね収納洞にばね部材を弾装したことを特徴とする。
【００１０】
また、請求項２に記載の発明は、案内ブロックを介して扉の外面に装着され、鍵孔を案内ブロックの外面に露呈させた状態で内筒内端のテールピースを錠箱のデッドボルト操作機構に連係させたシリンダ錠と、合鍵の鍵溝を形成した本体部にショルダー部を介して一体に連設され、本体部が鍵孔に挿入されたとき内筒の回動軸と同軸になるピニオンと、案内ブロックの外面に沿って水平方向に摺動可能に案内され、合鍵の本体部と遊嵌できる横長の開口を形成すると共に、この開口の一方の側端縁に、鍵孔に挿入された合鍵のピニオンと噛み合うラックを形成したスライダとを設けたことを特徴とする。
【００１１】
更にまた、請求項３に記載の発明は、鍵溝を形成した本体部が鍵孔に挿入されたとき、シリンダ錠の内筒の回動軸と同軸になるピニオンを、ショルダー部を介して本体部に一体に連設したことを特徴とする。
【発明の効果】
【００１２】
上記のように構成された請求項１及び２に記載の発明による施解錠機構は、合鍵の本体部にピニオンを一体に連設し、このピニオンをスライダの開口端縁に形成したラックと噛み合わせるようにしたので、合鍵をシリンダ錠の鍵孔に挿入し、スライダを上下動或いは水平方向に移動させるだけで施解錠が可能になり、したがって施解錠機構の構成が非常に簡単になる、という所期の効果を奏する。
【発明を実施するための最良の形態】
【００１３】
合鍵の本体部にピニオンを一体に連設し、これをスライダに形成されたラックと噛み合わせるようにしたので、簡単な機構で腕を捩らなくてもデッドボルトを出し入れできる施解錠機構を構成することができた。
【実施例１】
【００１４】
以下、この発明の一実施例を図１乃至図６を参照して説明する。
図１乃至図３は請求項１に記載の発明の一実施例を示し、これらの図において符号１は案内ブロックを示し、図示の実施例における案内ブロック１は、大体の形状が一面が開いた厚肉の箱状体で、その内側中央に後述のシリンダ錠を収納するシリンダ筒２を一体に形成している。
【００１５】
この案内ブロック１は、図３に示すように裏面開口端縁に形成された雌ねじ孔３、３と螺合する図示しない取付ビスにより、室内側から呼び付けられるようにして扉４の外面（図１及び図２参照）に装着される。
【００１６】
上記シリンダ筒２内にはシリンダ錠５が嵌装され、Ｃリング等の止め輪６によって抜け止めが施されている。
【００１７】
ちなみに、シリンダ錠として、ピンタンブラー錠、磁石タンブラー錠、ディスクタンブラー錠或いはレバータンブラー錠等、あらゆる形式のシリンダ錠を採用することができる。
【００１８】
また、シリンダ錠５の鍵孔７（図４参照）を開口させたキーガイド８は、上記シリンダ筒２の底面に開口したキーガイド孔９（図３参照）と嵌合しており、このようにして、シリンダ錠５はその内筒の鍵孔７を案内ブロック１の外面に露呈させている。
【００１９】
また、図２に示すように、シリンダ錠の内筒の内端に突設されたテールピース１１は、錠箱１２内のダルマカム等のデッドボルト操作機構（図示せず）に連係している。
【００２０】
これらの機構は、案内ブロック１が少し大きいことを除けば、従来のシリンダ錠の支持機構とほぼ同様の構成である。
【００２１】
一方、この発明の施解錠機構に用いられる合鍵１３は、従来の手指で回すシリンダ錠の合鍵と異なり、所謂摘みが無い。
【００２２】
その代わりに、合鍵の鍵溝を形成した本体部１４に連接して、キーガイドの表面に当接して本体部の挿入深さを規定するショルダー部１５と、ピニオン１６とが一体に連設されている。
【００２３】
図示の実施例では、従来の合鍵では摘みが形成されている基部が本体部１４と同幅となっており、この基部を貫通する断面矩形の穴に基部を差込み、連結ピン１７により、本体部１４とピニオン１６とが一体に結合されている。
【００２４】
なお、上記ピニオン１６は、本体部１４が鍵孔７（図４参照）に挿入されたとき、シリンダ錠の内筒の回動軸と同軸になるように、上記断面矩形の穴の形成位置が設定されている。
【００２５】
他方、図１、図２及び図４に示すように、大体の形状が矩形の板状体であるスライダ１８が、前記案内ブロック１の外面に沿って上下方向に摺動可能に支持、案内されている。
【００２６】
図示の実施例では、図１に示すように、案内ブロック１の外面側方に形成された一対の薄い係合縁１９、１９の夫々が、スライダ１８の裏面側方に形成された断面コ字形の係合溝２１と摺接可能に係合している。
【００２７】
ちなみに、スライダ１８を案内ブロックに係合させるには、スライダ１８を案内ブロック１の上方又は下方から嵌め込む。
【００２８】
案内ブロック１にスライダ１８を嵌め込んだ後、スライダ１８が上方又は下方に移動して抜けてしまわないように、両者の摺動面に跨がるようにばね部材が弾装されている。
【００２９】
すなわち、図３に示すように案内ブロック１の外面で、上記係合縁１９（図１参照）の裏側となる部分の中央部に縦長の矩形の内側ばね穴２２が開口しており、これに対応して、スライダ１８の側方において、係合縁１９の内側においてこれと摺接する袖板２３の中央部に内側ばね穴２２と同形の外側ばね穴２４が形成されている。
【００３０】
そして、これらが構成するばね収納洞に、例えば圧縮コイルばね等のばね部材２５が弾装されている。
【００３１】
これらのばね部材としては、圧縮コイルばねに限定されず、例えば松葉ばね等の他のばね部材を採用することができる。
【００３２】
これらのばね部材は、案内ブロック１を扉面に装着する以前に案内ブロックの裏面側からばね穴に収納し、例えばばね押え板２６（図１参照）によりばね収納洞を閉塞してばね部材の逸脱を防止する。
【００３３】
上記ばね部材２５は、スライダ１８を図４に示す常態位置、すなわち、スライダ１８が案内ブロックの外面と上下方向において重合する位置を保持するように付勢する他、スライダ１８の上方又は下方への逸脱をも防止する。
【００３４】
また、図４に示すように、スライダの外面中央部には、合鍵の本体部と遊嵌できる幅で縦長の開口２７が形成されている。
【００３５】
そして、この開口２７の図４において右側の開口縁には、シリンダ錠の鍵孔に挿入された合鍵のピニオン１６（図２参照）と噛み合うラック２８が形成されている。
【００３６】
なお、図示の実施例におけるシリンダ錠は、合鍵を時計方向に９０度回すことにより施錠し、同じ角度回し戻して引抜くタイプで、解錠するときには反時計方向に９０度回し、同じ角度回し戻して引抜くタイプであるものとする。
【００３７】
そして、上記開口２７の上下方向の寸法は、合鍵を時計方向或いは反時計方向に９０度回したとき、上方又は下方の開口端縁がピニオン１６に当接し、それ以上合鍵を回すことができないように設定されている。
【００３８】
なお、図２及び図４において符号２９はスライダの表面の上端或いは下端に突設された指掛けを示し、この指掛け２９はスライダを上下させるときに指を掛けて操作性を向上させるものであるが、この指掛け２９は本発明の必須の構成ではない。
【００３９】
上記のように構成されたこの発明の一実施例による施解錠機構は、ばね部材の機能により、スライダ１８に外力が作用しない常態においては、スライダ１８は案内ブロックに対し図４に示す相対位置を保つ。
【００４０】
今錠箱が解錠状態であるとした場合、これを施錠するには、先ず合鍵を鍵孔に挿入する。
【００４１】
この合鍵の挿入の度合いは、そのショルダー部１５（図５及び図６参照）がキーガイド８の外面に当接する迄一杯に挿入する。
【００４２】
その後、一旦指を合鍵から離し、指をスライダ１８の下方の指掛け２９に移してこれを下方に押動する。
【００４３】
すると、ラック２８が下方に移動してこれと噛み合っているピニオン１６及びこれと一体の合鍵の本体部１４を時計方向に駆動して施錠する。
【００４４】
施錠後指掛け２９から指を離せば、ばね部材２５の弾力によりスライダ１８は図４に示す常態位置に戻るので、その後合鍵を鍵孔から抜いて外出する。外出から帰って解錠する場合には施錠とは反対方向に駆動すればよい。
【実施例２】
【００４５】
図７乃至図１６は請求項１に記載の発明の他の実施例を示し、これらの図において図１乃至図６と等符号を付した部分は図１乃至図６と均等な部分を示す。
【００４６】
この他の実施例と図１乃至図６に示す一実施例との構成上の差の一つは、他の実施例における案内ブロック１が単一の部材ではなく、シリンダ筒２とガイド盤３１との結合体であることである（図７及び図８参照）。
【００４７】
すなわち、室内側からねじで呼び付けられるようにして扉外面に装着されるシリンダ筒２の外面に（図７参照）、大体の形状が矩形の厚板であるブロック体であるガイド盤３１（図７乃至図９参照）を、室内側からねじで呼びつけるようにして一体的に装着している。
【００４８】
そのため、ガイド盤３１に形成された内側ばね穴２２（図９参照）がシリンダ筒２の外面により閉塞されるので、前記一実施例におけるばね押え板２６が必要でなくなる。
【００４９】
また、図１０及び図１１に示すように、スライダ１８の幅が小さくなって縦長となり、その前面を覆うように縦長の矩形のフードが形成されている。
【００５０】
更にまた、図７及び図８に示すように、合鍵１３の頭部にフランジ付の摘み３２が装着されている。
【００５１】
この摘み３２には、図１２及び図１３に示すように、合鍵１２の摘み３３（図１４参照）を収納できる第１スリット１４が形成されており、この第１スリット１４に合鍵の摘み３３を挿入した後、合鍵の本体部１４が挿通できる第２スリット３５を回動軸線に沿って形成した（図１５及び図１６）ピニオン１６を本体部の先端から嵌め込み、本体部側からねじ止めする。
【実施例３】
【００５２】
図１７乃至図１９は請求項２に記載の発明の一実施例を示し、この請求項２に記載の発明による施解錠機構は、要するに、請求項１に記載の発明の施解錠機構がスライダを上下方向に動かすのに対し、横方向に動かす点のみが異なっている。
【００５３】
すなわち、図１７及び図１８において符号１は横方向に長い案内ブロックを示し、この案内ブロック１は例えばねじ止めにより、室内側から呼び付けられるようにして扉４の外面に取り付けられている。
【００５４】
そして、この案内ブロック１の外面には、アリ溝を介して、横長のスライダ１８が水平方向（横方向）に摺動可能に案内されている。
【００５５】
図示の実施例におけるスライダ１８は、写真レンズのフード様の角筒が外面側に一体に形成されており、この角筒の側壁外面或いは内面に手を掛けて横方向に動かすことにより、スライダ１８を左右に移動させることができるようになっている。
【００５６】
また、このスライダ１８は、図１７の左側に鎖線で示す位置を施錠位置とし、右側を解錠位置として、実線で示す合鍵挿入位置を中心にして左右に移動できるが、図示しないストッパ機構により、施解錠位置より外側には移動できないように拘束されているものとする。
【００５７】
更にまた、図１８に示すように、このスライダ１８には、合鍵の本体部と遊嵌できる横長の開口２７が形成されており、この開口の一方（下方）の側端縁に、鍵孔に挿入された合鍵のピニオン１６と噛み合うラック２８が形成されている。
【００５８】
そして、シリンダ錠５の鍵孔が案内ブロックの外面に露呈されており、シリンダ錠の内筒内端のテールピースが錠箱のデッドボルト操作機構に連係されていることは、前記した請求項１に記載の発明による施解錠機構と同様である。
【００５９】
したがって、シリンダ錠の鍵孔にピニオン付きの合鍵１３を挿入し、ピニオン１６とラック２８とを噛み合わせてから前記した要領でスライダ１８を施錠方向或いは解錠方向に移動させると、合鍵はスライダに駆動されて回動し、シリンダ錠の施解錠が行われる。
【００６０】
なお、施解錠操作は大別して２種類に別れ、その一つは合鍵挿入角度位置で合鍵を挿入して施錠方向、或いは解錠方向に所定の角度回した後合鍵挿入角度位置に迄回し戻してから合鍵を鍵孔から抜く操作で、他の一つは、施錠角度位置或いは解錠角度位置で合鍵を挿入し、解錠角度位置或いは施錠角度位置に迄回してから合鍵を回し戻さずに合鍵を抜く操作である。
【００６１】
図示の実施例による施解錠機構は何れの施解錠操作も可能で、合鍵を挿入角度位置に迄回し戻すタイプの操作では、図１７及び図１８で実線で示す位置をスライダの基準位置とするが、他のタイプの施解錠操作では、スライダの位置によって施解錠状態が一目で分かるから、防犯上好ましくない。
【００６２】
また、スライダの基準位置が重力によって変化することがないから、前記した請求項１に記載の発明による施解錠機構と比較して、ばねを組込んでスライダを自動的に基準位置に保つ必要はない。
【００６３】
一方、請求項２に記載の発明は手指でスライダの基準位置を定める必要があり、この場合、指で角筒の外側面を押すとき同じ指で案内ブロックの端面を捜して両者が一致するようにスライダを動かすとか、或いはスライダにクリック装置を組込んで、クリックが作動したときの位置を基準位置とすると良い。
【００６４】
ちなみに、図２０及び図２１において符号３６はサムターンを、符号３７はサムターン座を夫々示し、このサムターン３６はこれを摘んで左右に動かすことにより室内側から施解錠操作を行うことができる。
【００６５】
このサムターン操作機構は、例えばサムターンの摘みと一体の図示しないラックの水平方向の動きを、デッドボルト操作様のデッドカムに同軸に連結されたピニオンに伝えるようにすると良い。
【図面の簡単な説明】
【００６６】
【図１】請求項１に記載の発明の一実施例による施錠機構の一部断面平面図。
【図２】請求項１に記載の発明の一実施例による施錠機構の一部断面側面図。
【図３】案内ブロックの裏面図。
【図４】請求項１に記載の発明の一実施例による施錠機構の正面図。
【図５】請求項１に記載の発明の一実施例における合鍵の一部断面平面図。
【図６】請求項１に記載の発明の一実施例における合鍵の一部断面側面図。
【図７】請求項１に記載の発明の他の実施例による施錠機構の一部断面平面図。
【図８】請求項１に記載の発明の他の実施例による施錠機構の一部断面側面図。
【図９】請求項１に記載の発明の他の実施例におけるガイド盤の一部断面平面図。
【図１０】請求項１に記載の発明の他の実施例におけるスライダの一部断面平面図。
【図１１】請求項１に記載の発明の他の実施例におけるスライダの裏面図。
【図１２】請求項１に記載の発明の他の実施例における摘みの断面図。
【図１３】請求項１に記載の発明の他の実施例における摘みの裏面図。
【図１４】合鍵の平面図。
【図１５】請求項１に記載の発明の他の実施例におけるピニオンの正面図。
【図１６】その断面図。
【図１７】請求項２に記載の発明の一実施例による施解錠機構の平面図。
【図１８】請求項２に記載の発明の一実施例による施解錠機構の正面図。
【図１９】請求項２に記載の発明の一実施例による施解錠機構の側面図。
【図２０】サムターンの平面図。
【図２１】サムターンの正面図。
【符号の説明】
【００６７】
１  案内ブロック
２  シリンダ筒
４  扉
５  シリンダ錠
６  止め輪
７  鍵孔
８  キーガイド
９  キーガイド孔
１１  テールピース
１２  錠箱
１３  合鍵
１４  本体部
１５  ショルダー部
１６  ピニオン
１７  連結ピン
１８  スライダ
１９  係合縁
２１  係合溝
２２  内側ばね穴
２４  外側ばね穴
２５  ばね部材
２７  開口
２８  ラック
２９  指掛け
３１  ガイド盤
３２  摘み
３３  合鍵の摘み
３４  第１スリット
３５  第２スリット
３６  サムターン
３７  サムターン座
【図１】
2007056660.tif 000003
【図２】
2007056660.tif 000004
【図３】
2007056660.tif 000005
【図４】
2007056660.tif 000006
【図５】
2007056660.tif 000007
【図６】
2007056660.tif 000008
【図７】
2007056660.tif 000009
【図８】
2007056660.tif 000010
【図９】
2007056660.tif 000011
【図１０】
2007056660.tif 000012
【図１１】
2007056660.tif 000013
【図１２】
2007056660.tif 000014
【図１３】
2007056660.tif 000015
【図１４】
2007056660.tif 000016
【図１５】
2007056660.tif 000017
【図１６】
2007056660.tif 000018
【図１７】
2007056660.tif 000019
【図１８】
2007056660.tif 000020
【図１９】
2007056660.tif 000021
【図２０】
2007056660.tif 000022
【図２１】
2007056660.tif 000023